(57)【要約】【課題】上シートと下シートとの間に挟み込まれたフィルムシートによる封入部に封入された封入物を脱落しにくくしながらも、多くの情報を通知可能とし、かつ、フィルムシートの端部がくしゃくしゃになりにくくする。【解決手段】フィルムシート３３を、表面シート１０、冊子用シート３１ａ，３１ｂ及び裏面シート２０の端部から離間した領域に挟み込むとともに、表面シート１０と冊子用シート３１ａ及びフィルムシート３３とを貼着する粘着剤４１ａによる貼着部１２の幅を、冊子用シート３１ａ，３１ｂと裏面シート２０とを貼着する粘着剤３２による貼着部２１の幅よりも広くする。【選択図】図１
2014159098.tif 000002
【特許請求の範囲】
【請求項１】
重ね合わされた複数枚の下シートがその１辺に沿って形成された第１の貼着部にて互いに貼着され、前記複数枚の下シート上に上シートが重ね合わされ、該上シートの前記１辺に重なる辺に沿って形成された第２の貼着部にて前記下シートと前記上シートとが貼着され、前記上シートと前記下シートとの間にフィルムシートが挟み込まれ、該フィルムシートの一部が前記下シートに貼着されることによって該フィルムシートと前記下シートとの間に封入部が形成され、前記１辺を綴じ部として見開かれる封入体において、
前記フィルムシートは、前記１辺から離間した領域に挟み込まれ、
前記第２の貼着部の幅が、前記第１の貼着部の幅よりも広いことを特徴とする封入体。
【請求項２】
請求項１に記載の封入体において、
前記封入部は、前記１辺に沿う領域以外に取り出し口を有し、
前記フィルムシートは、前記第２の貼着部によってその一部が前記上シートと貼着されている封入体。
【発明の詳細な説明】
【技術分野】
【０００１】
本発明は、物品が封入された封入体に関する。
【背景技術】
【０００２】
従来より、ダイレクトメール等といった郵送等によって送付される印刷物においては、差出人が受取人に通知したい情報が文字や画像として所定の用紙に印刷されており、そのほとんどが、封筒等に封入、封緘され、封入体として受取人に送付されている。このような封入体は、受取人が封筒を開封して封筒等に封入された印刷物を閲覧することによって、差出人が通知したい情報が受取人に通知されることになる。
【０００３】
また、近年においては、商品サンプルや小物商品等の物品を上述したような印刷物とともに封筒等に封入し、送付することが行われている（例えば、特許文献１参照。）。このように、商品サンプルや小物商品等の物品を情報が印刷された印刷物とともに送付した場合、この封入体の受取人は、印刷物に印刷された情報を閲覧するだけでなく、実際に商品サンプルや小物商品を手にすることができ、それにより、商品等の広告効果を向上させることができる。
【０００４】
図９は、封入物が封入される封入体の一例を示す図であり、（ａ）は外観正面図、（ｂ）は（ａ）に示したＡ−Ａ’断面図、（ｃ）は表面シート３１０の裏面の構成を示す図、（ｄ）は表面シート３１０を取り除いた構成を示す図である。
【０００５】
本例は図９に示すように、互いに同一形状を有する表面シート３１０と裏面シート３２０とが重ね合わされ、これら表面シート３１０と裏面シート３２０との間に、冊子部３３０及びこれに貼着されたフィルムシート３３３が挟み込まれて構成されている。
【０００６】
表面シート３１０は、３辺に沿ってミシン目３１１が形成されているとともに、裏面シート３２０との重ね合わせ面において上記３辺以外の１辺に沿って粘着剤３４１ａが塗布されている。
【０００７】
裏面シート３２０は、表面シート３１０のミシン目３１１の外側に対向する領域に粘着剤３４１ｂが塗布されており、この粘着剤３４１ｂによって表面シート３１０と裏面シート３２０とが貼着されている。なお、この粘着剤３４１ｂは、粘着剤３４１ａに対向する領域には塗布されていない。
【０００８】
上記のように貼着された表面シート３１０と裏面シート３２０とは、表面シート３１０の粘着剤３４１ａが塗布された領域側の１辺が、粘着剤３４１ａによって貼着されて綴じ部となり、ミシン目３１１が破断することによって表面シート３１０のミシン目３１１の内側の領域がこの１辺を綴じ部として見開かれることになる。
【０００９】
冊子部３３０は、表面シート３１０と裏面シート３２０との間において、表面シート３１０のミシン目３１１の内側の領域に挟み込まれている。冊子部３３０は、２枚の冊子用シート３３１ａ，３３１ｂからなり、表面シート３１０側の冊子用シート３３１ａにフィルムシート３３３が貼着されている。２枚の冊子用シート３３１ａ，３３１ｂは、表面シート３１０の粘着剤３４１ａが塗布された辺側の端部が表面シート３１０のこの辺と重なり、この辺に沿う領域が粘着剤３３２によって互いに貼着されるとともに、裏面シート３２０側となる冊子用シート３３１ｂが粘着剤３３２によって裏面シート３２０と貼着されている。
【００１０】
フィルムシート３３３は、表面シート３１０及び裏面シート３２０の綴じ部となる辺が伸びる方向の長さが、冊子用シート３３１ａ，３３１ｂと同じであり、これに直交する方向の長さが、冊子用シート３３１ａ，３３１ｂよりも短くなっている。そして、フィルムシート３３３は、表面シート３１０の粘着剤３４１ａが塗布された辺側の端部が表面シート３１０のこの辺と重なり、この辺に沿う領域が粘着剤３３２によって冊子用シート３３１ａに貼着されるとともに、表面シート３１０及び裏面シート３２０の綴じ部となる辺が伸びる方向の両端部、並びにその両端部の中間部分において、表面シート３１０及び裏面シート３２０の綴じ部となる辺が伸びる方向とは直交する方向にライン状に塗布された粘着剤３３４によって冊子用シート３３１ａに貼着されている。また、フィルムシート３３３は、粘着剤３４１ａによって表面シート３１０と貼着されている。それにより、フィルムシート３３３と冊子用シート３３１ａとの間において、表面シート３１０及び裏面シート３２０の綴じ部とは反対側の領域が開口した２つの封入部３３５が形成されている。
【００１１】
上記のように構成された封入体３０１においては、封入部３３５に封入物が封入、封緘された後、封入体３０１の提供先に郵送等によって送付されていく。
【００１２】
以下に、封入体３０１からの封入物の取り出し方法について説明する。
【００１３】
図１０は、図９に示した封入体３０１からの封入物の取り出し方法を説明するための図である。
【００１４】
上記のように構成された封入体３０１に封入された封入物を取り出す場合は、まず、図１０（ａ）に示すように、表面シート３１０のミシン目３１１を破断していき、表面シート３１０のミシン面３１１の外側の領域を裏面シート３２０に貼着したまま、ミシン目３１１の内側の領域を、粘着剤３４１ａによって冊子用シート３３１ａ及び裏面シート３２０と貼着された領域に沿う辺を綴じ部として見開いていく。
【００１５】
すると、図１０（ｂ）に示すように、表面シート３１０と裏面シート３２０との間に挟み込まれた冊子部３３０及びこれに貼着されたフィルムシート３３３が表出する。またこの際、冊子部３３０とフィルムシート３３３とによって形成された封入部３３５の開口部が表出する。
【００１６】
そして、図１０（ｃ）に示すように、封入部３３５に封入された封入物３０２を、封入部３３５の開口部から取り出す。
【００１７】
その後、冊子用シート３３１ａを捲ることで、図１０（ｄ）に示すように、冊子用シート３３１ｂに表示された通知情報３３６が視認可能となり、この通知情報３３６を封入体３０１の受取人に通知することができる。
【先行技術文献】
【特許文献】
【００１８】
【特許文献１】登録実用新案第３０５０２４６号公報
【発明の概要】
【発明が解決しようとする課題】
【００１９】
上述した表面シート３１０、フィルムシート３３３、３３１ｂ及び裏面シート３２０のように複数枚のシートが１つの辺を綴じ部として見開き可能に構成された封入体においては、これら表面シート３１０、冊子用シート３３１ａ，３３１ｂ及び裏面シート３２０、さらにはフィルムシート３３３を綴じ部となる側にて貼着している粘着剤３３２，３４１ａの塗布幅は互いに同一となっているのが一般的である。その際、上述した冊子用シート３３１ｂのように通知情報３３６を表示しておく場合、通知情報３３６として多くの情報を表示するには、綴じ部となる側にて複数枚のシートを貼着している粘着剤３３２，３４１ａの塗布幅をできるだけ狭くすることが好ましい。
【００２０】
ところで、上述した封入体３０１においては、封入部３３５に封入された封入物３０２が送付途中等において不用意に脱落しないようにする工夫が必要となる。ところが、上述したように多くの情報を表示するために粘着剤の幅を狭くした場合、表面シート３１０が冊子用シート３３１ａから剥がれやすくなり、封入部３３５に封入された封入物３０２が送付途中等において不用意に脱落してしまう可能性が高くなってしまうという問題点がある。
【００２１】
また、上述した封入体３０１のように、封入部３３５を形成するためにフィルムシート３３３を用いた場合、フィルムシート３３３の端部が、表面シート３１０や裏面シート３２０の端部と重なっていると、フィルムシート３３３の端部が露出してくしゃくしゃになってしまうという問題点もある。
【００２２】
本発明は、上述したような従来の技術が有する問題点に鑑みてなされたものであって、上シートと下シートとの間に挟み込まれたフィルムシートによる封入部に封入された封入物を脱落しにくくしながらも、多くの情報を通知可能とし、かつ、フィルムシートの端部がくしゃくしゃになりにくい封入体を提供することを目的とする。
【課題を解決するための手段】
【００２３】
上記目的を達成するために本発明は、
重ね合わされた複数枚の下シートがその１辺に沿って形成された第１の貼着部にて互いに貼着され、前記複数枚の下シート上に上シートが重ね合わされ、該上シートの前記１辺に重なる辺に沿って形成された第２の貼着部にて前記下シートと前記上シートとが貼着され、前記上シートと前記下シートとの間にフィルムシートが挟み込まれ、該フィルムシートの一部が前記下シートに貼着されることによって該フィルムシートと前記下シートとの間に封入部が形成され、前記１辺を綴じ部として見開かれる封入体において、
前記フィルムシートは、前記１辺から離間した領域に挟み込まれ、
前記第２の貼着部の幅が、前記第１の貼着部の幅よりも広いことを特徴とする。
【００２４】
上記のように構成された本発明においては、上シートと下シートとを綴じ部にて貼着している第２の貼着部の幅が、複数枚の下シートを綴じ部にて互いに貼着している第１の貼着部の幅よりも広いので、上シートと下シートとが剥がれにくくなり、それにより、これら上シートと下シートとの間に挟み込まれたフィルムシートによる封入部に封入された封入物が脱落しにくくなるとともに、複数枚の下シートを捲って封入体を見開いた際に視認可能となる面積が広くなり、それにより、下シートを用いて多くの情報が通知可能となる。さらに、フィルムシートが、第１及び第２の貼着部が形成された１辺から離間した領域に挟み込まれているので、フィルムシートの端部がくしゃくしゃになりにくい。
【００２５】
また、封入部が、第１及び第２の貼着部が形成された１辺に沿う領域以外に取り出し口を有し、フィルムシートが、第２の貼着部によってその一部が上シートと貼着されていれば、フィルムシートがさらに強固に固定されて脱落しにくくなるとともに、封入部の一端部が第２の貼着部によって覆われた状態となり、封入物が封入部内にて不安定になりにくくなる。
【発明の効果】
【００２６】
本発明によれば、上シートと下シートとを綴じ部にて貼着している第２の貼着部の幅が、複数枚の下シートを綴じ部にて互いに貼着している第１の貼着部の幅よりも広いことにより、上シートと下シートとの間に挟み込まれたフィルムシートによる封入部に封入された封入物を脱落しにくくすることができるとともに、複数枚の下シートを捲って封入体を見開いた際に視認可能となる面積が広くなり、下シートを用いて多くの情報が通知可能となる。さらに、フィルムシートが、第１及び第２の貼着部が形成された１辺から離間した領域に挟み込まれていることにより、フィルムシートの端部がくしゃくしゃになりにくい。
【００２７】
また、封入部が、第１及び第２の貼着部が形成された１辺に沿う領域以外に取り出し口を有し、フィルムシートが、第２の貼着部によってその一部が上シートと貼着されているものにおいては、フィルムシートがさらに強固に固定されて脱落しにくくなるとともに、封入部の一端部が第２の貼着部によって覆われた状態となり、封入物が封入部内にて不安定になりにくくなる。
【図面の簡単な説明】
【００２８】
【図１】本発明の封入体の第１の実施の形態を示す図であり、（ａ）は外観正面図、（ｂ）は（ａ）に示したＡ−Ａ’断面図、（ｃ）は表面シートの裏面の構成を示す図、（ｄ）は表面シートを取り除いた構成を示す図である。
【図２】図１に示した封入体における第１の作用を説明するための図である。
【図３】図１に示した封入体からの封入物の取り出し方法を説明するための図である。
【図４】図１に示した封入体における第２の作用を説明するための図である。
【図５】本発明の封入体の第２の実施の形態を示す図であり、（ａ）は外観正面図、（ｂ）は（ａ）に示したＡ−Ａ’断面図、（ｃ）は表面シートの裏面の構成を示す図、（ｄ）は表面シートを取り除いた構成を示す図である。
【図６】図５に示した封入体における第１の作用を説明するための図である。
【図７】図５に示した封入体からの封入物の取り出し方法を説明するための図である。
【図８】図５に示した封入体における第２の作用を説明するための図である。
【図９】封入物が封入される封入体の一例を示す図であり、（ａ）は外観正面図、（ｂ）は（ａ）に示したＡ−Ａ’断面図、（ｃ）は表面シートの裏面の構成を示す図、（ｄ）は表面シートを取り除いた構成を示す図である。
【図１０】図９に示した封入体からの封入物の取り出し方法を説明するための図である。
【発明を実施するための形態】
【００２９】
以下に、本発明の実施の形態について図面を参照して説明する。
【００３０】
（第１の実施の形態）
図１は、本発明の封入体の第１の実施の形態を示す図であり、（ａ）は外観正面図、（ｂ）は（ａ）に示したＡ−Ａ’断面図、（ｃ）は表面シート１０の裏面の構成を示す図、（ｄ）は表面シート１０を取り除いた構成を示す図である。
【００３１】
本形態は図１に示すように、互いに同一形状を有する表面シート１０と裏面シート２０とが重ね合わされ、これら表面シート１０と裏面シート２０との間に、冊子部３０及びこれに貼着されたフィルムシート３３が挟み込まれて構成されている。
【００３２】
表面シート１０は、本願発明における上シートとなるものであって、３辺に沿ってミシン目１１が形成されているとともに、裏面シート２０との重ね合わせ面において上記３辺以外の１辺に沿って粘着剤４１ａが塗布されており、この粘着剤４１ａによって第２の貼着部１２が形成されている。
【００３３】
裏面シート２０は、本願発明における下シートとなるものであって、表面シート１０のミシン目１１の外側に対向する領域に粘着剤４１ｂが塗布されており、この粘着剤４１ｂによって表面シート１０と裏面シート２０とが貼着されている。なお、この粘着剤４１ｂは、粘着剤４１ａに対向する領域には塗布されていない。
【００３４】
上記のように貼着された表面シート１０と裏面シート２０とは、表面シート１０の貼着部１２側の１辺が、粘着剤４１ａによって貼着されて綴じ部となり、ミシン目１１が破断することによって表面シート１０のミシン目１１の内側の領域がこの１辺を綴じ部として見開かれることになる。
【００３５】
冊子部３０は、表面シート１０と裏面シート２０との間において、表面シート１０のミシン目１１の内側の領域に挟み込まれている。冊子部３０は、本願発明の下シートとなる２枚の冊子用シート３１ａ，３１ｂからなり、表面シート１０側の冊子用シート３１ａにフィルムシート３３が貼着されている。２枚の冊子用シート３１ａ，３１ｂは、表面シート１０の貼着部１２側の端部が表面シート１０のこの辺と重なり、この辺に沿う領域が粘着剤３２によって互いに貼着されるとともに、裏面シート２０側となる冊子用シート３１ｂが粘着剤３２によって裏面シート２０と貼着されており、この粘着剤３２によって第１の貼着部２１が形成されている。
【００３６】
フィルムシート３３は、表面シート１０及び裏面シート２０の綴じ部となる辺が伸びる方向の長さが、冊子用シート３１ａ，３１ｂと同じであり、これに直交する方向の長さが、冊子用シート３１ａ，３１ｂよりも短くなっている。それにより、表面シート１０及び裏面シート２０の綴じ部となる辺に直交する方向における両端部において、冊子用シート３１ａ，３１ｂとの間に段差が生じている。この段差の部分には粘着剤４１ａが対向しており、それにより、貼着部１２において、フィルムシート３３の端部が粘着剤４１ａによって覆われるような状態となって、冊子用シート３１ａ及びフィルムシート３３が粘着剤４１ａによって表面シート１０と貼着されている。フィルムシート３３は、表面シート１０及び裏面シート２０の綴じ部となる辺が伸びる方向の両端部、並びにその両端部の中間部分において、表面シート１０及び裏面シート２０の綴じ部となる辺が伸びる方向とは直交する方向にライン状に塗布された粘着剤３４によって冊子用シート３１ａに貼着されている。それにより、フィルムシート３３と冊子用シート３１ａとの間において、表面シート１０及び裏面シート２０の綴じ部となる辺が伸びる方向とは直交する方向における両端部が開口した２つの封入部３５が形成されている。
【００３７】
上記のように構成された封入体１においては、封入部３５に封入物が封入、封緘された後、封入体１の提供先に郵送等によって送付されていく。
【００３８】
以下に、上記のように構成された封入体１における第１の作用について説明する。
【００３９】
図２は、図１に示した封入体１における第１の作用を説明するための図であり、貼着部１２，２１近傍の断面図である。
【００４０】
上述したように、本形態の封入体１においては、下シートを構成する裏面シート２０と冊子用シート３１ａ，３１ｂとが貼着部２１にて粘着剤３２によって互いに貼着されているとともに、表面シート１０と冊子用シート３１ａ及びフィルムシート３３とが貼着部１２にて粘着剤４１ａによって貼着されているが、図２に示すように、貼着部１２の幅Ｗ2が貼着部２１の幅Ｗ1よりも広くなっている。
【００４１】
それにより、冊子用シート３１ａ，３１ｂと裏面シート２０とを、冊子用シート３１ａ，３１ｂを捲って貼着部２１を綴じ部として見開いた場合に、冊子用シート３１ｂ及び裏面シート２０にて視認可能となる面積を広くしながらも、表面シート１０を冊子用シート３１ａから剥がれにくくすることができる。表面シート１０と冊子用シート３１ａとの間には、フィルムシート３３が挟み込まれ、このフィルムシート３３と冊子用シート３１ａとによって封入部３５が形成されているため、表面シート１０を冊子用シート３１ａから剥がれにくくすることにより、封入部３５に封入された封入物が脱落しにくくすることができるようになる。また、本形態においては、貼着部１２において、冊子用シート３１ａ及びフィルムシート３３が粘着剤４１ａによって表面シート１０と貼着されており、フィルムシート３３の端部が粘着剤４１ａによって覆われるような状態となっているため、フィルムシート３３が表面シート１０と冊子部３０との間に強固に固定されるとともに、封入部３５の端部が粘着剤４１ａによって覆われた状態となり、封入体１の送付時等において封入物が封入部３５内であばれて不安定になりにくくなり、封入部３５に封入された封入物をさらに脱落しにくくすることができる。
【００４２】
また、フィルムシート３３が、表面シート１０及び裏面シート２０の綴じ部となる辺に直交する方向における両端部において、冊子用シート３１ａ，３１ｂとの間に段差が生じるように、表面シート１０及び裏面シート２０の綴じ部となる辺から離間して挟み込まれているため、フィルムシート３３の端部が封入体１の端部にて露出しておらず、それにより、フィルムシート３３の端部がくしゃくしゃになりにくい。
【００４３】
以下に、封入体１からの封入物の取り出し方法について説明する。
【００４４】
図３は、図１に示した封入体１からの封入物の取り出し方法を説明するための図である。
【００４５】
上記のように構成された封入体１に封入された封入物を取り出す場合は、まず、図３（ａ）に示すように、表面シート１０のミシン目１１を破断していき、表面シート１０のミシン面１１の外側の領域を裏面シート２０に貼着したまま、ミシン目１１の内側の領域を、粘着剤４１ａによって冊子用シート３１ａ及び裏面シート２０と貼着された領域に沿う辺を綴じ部として見開いていく。
【００４６】
すると、図３（ｂ）に示すように、表面シート１０と裏面シート２０との間に挟み込まれた冊子部３０及びこれに貼着されたフィルムシート３３が表出する。またこの際、冊子部３０とフィルムシート３３とによって形成された封入部３５の開口部が表出する。なお、封入部３５は上述したように、表面シート１０及び裏面シート２０の綴じ部となる辺が伸びる方向とは直交する方向における両端部が開口しているものの、綴じ部となる辺に沿う領域は貼着部１２によって表面シート１０と貼着されているため、それとは反対側の領域のみが開口部として表出する。
【００４７】
そして、図３（ｃ）に示すように、封入部３５に封入された封入物２を、封入部３５の開口部を取り出し口としてこの取り出し口から取り出す。
【００４８】
その後、冊子用シート３１ａを捲ることで、図３（ｄ）に示すように、冊子用シート３１ｂに表示された通知情報３６が視認可能となり、この通知情報３６を封入体１の受取人に通知することができる。
【００４９】
以下に、上述した封入体１における第２の作用について説明する。
【００５０】
図４は、図１に示した封入体１における第２の作用を説明するための図である。
【００５１】
上述したように、本形態の封入体１においては、下シートを構成する裏面シート２０と冊子用シート３１ａ，３１ｂとが貼着部２１にて粘着剤３２によって互いに貼着されているとともに、表面シート１０と冊子用シート３１ａ及びフィルムシート３３とが貼着部１２にて粘着剤４１ａによって貼着されており、図２に示したように、貼着部１２の幅Ｗ2が貼着部２１の幅Ｗ1よりも広くなっている。
【００５２】
そのため、ミシン目１１を破断して表面シート１０のミシン目１１の内側の領域のみを捲って見開いた場合、図４（ａ）に示すように、ミシン目１１の見開き方向の幅Ｗ0に対して、貼着部１２の幅がＷ2であることから視認可能となる領域の幅はＷ3となる。これは、表面シート１０と冊子用シート３１ａとを強固に貼着するために、貼着部１２の幅Ｗ2を貼着部２１の幅Ｗ1よりも広くしたことによるものである。
【００５３】
これに対して、冊子用シート３１ａを捲って見開いた場合、図４（ｂ）に示すように、ミシン目１１の見開き方向の幅Ｗ0に対して、貼着部２１の幅がＷ1であることから、冊子用シート３１ｂにて視認可能となる領域の幅は、Ｗ3よりも広いＷ4となる。これは、冊子用シート３１ｂを捲って見開いた場合に裏面シート２０にて視認可能となる領域の幅も同様である。
【００５４】
これにより、表面シート１０と冊子用シート３１ａとを強固に貼着しながらも、冊子用シート３１ａ，３１ｂを捲って見開いた場合に視認可能となる面積、すなわち、通知情報３６を表示できる面積を広くすることができ、多くの情報が通知可能となる。
【００５５】
（第２の実施の形態）
図５は、本発明の封入体の第２の実施の形態を示す図であり、（ａ）は外観正面図、（ｂ）は（ａ）に示したＡ−Ａ’断面図、（ｃ）は表面シート１１０の裏面の構成を示す図、（ｄ）は表面シート１１０を取り除いた構成を示す図である。
【００５６】
本形態は図５に示すように、第１の実施の形態に示したものに対して、フィルムシート１３３が貼着部１４１ａに対向しておらず、そのため、フィルムシート１３３が粘着剤１４１ａにかからずに表面シート１１０とは貼着されていない点のみが異なるものである。
【００５７】
以下に、上記のように構成された封入体１０１における第１の作用について説明する。
【００５８】
図６は、図５に示した封入体１０１における第１の作用を説明するための図であり、貼着部１１２，１２１近傍の断面図である。
【００５９】
本形態の封入体１０１においては、下シートを構成する裏面シート１２０と冊子用シート１３１ａ，１３１ｂとが貼着部１２１にて粘着剤１３２によって互いに貼着されているとともに、表面シート１１０と冊子用シート１３１ａとが貼着部１１２にて粘着剤１４１ａによって貼着されているが、図６に示すように、貼着部１１２の幅Ｗ2が貼着部１２１の幅Ｗ1よりも広くなっている。
【００６０】
それにより、冊子用シート１３１ａ，１３１ｂと裏面シート１２０とを、冊子用シート１３１ａ，１３１ｂを捲って貼着部２１を綴じ部として見開いた場合に、冊子用シート１３１ｂ及び裏面シート１２０にて視認可能となる面積を広くしながらも、表面シート１１０を冊子用シート１３１ａから剥がれにくくすることができる。表面シート１１０と冊子用シート１３１ａとの間には、フィルムシート１３３が挟み込まれ、このフィルムシート１３３と冊子用シート１３１ａとによって封入部１３５が形成されているため、表面シート１１０を冊子用シート１３１ａから剥がれにくくすることにより、封入部１３５に封入された封入物が脱落しにくくすることができるようになる。
【００６１】
また、フィルムシート１３３が、表面シート１１０及び裏面シート１２０の綴じ部となる辺に直交する方向における両端部において、冊子用シート１３１ａ，１３１ｂとの間に段差が生じるように、表面シート１１０及び裏面シート１２０の綴じ部となる辺から離間して挟み込まれているため、フィルムシート１３３の端部が封入体１０１の端部にて露出しておらず、それにより、フィルムシート１３３の端部がくしゃくしゃになりにくい。
【００６２】
以下に、封入体１０１からの封入物の取り出し方法について説明する。
【００６３】
図７は、図５に示した封入体１０１からの封入物の取り出し方法を説明するための図である。
【００６４】
上記のように構成された封入体１０１に封入された封入物を取り出す場合は、まず、図７（ａ）に示すように、表面シート１１０のミシン目１１１を破断していき、表面シート１１０のミシン面１１１の外側の領域を裏面シート１２０に貼着したまま、ミシン目１１１の内側の領域を、粘着剤１４１ａによって冊子用シート１３１ａ及び裏面シート１２０と貼着された領域に沿う辺を綴じ部として見開いていく。
【００６５】
すると、図７（ｂ）に示すように、表面シート１１０と裏面シート１２０との間に挟み込まれた冊子部１３０及びこれに貼着されたフィルムシート１３３が表出する。またこの際、冊子部１３０とフィルムシート１３３とによって形成された封入部１３５の開口部が表出する。
【００６６】
そして、図７（ｃ）に示すように、封入部１３５に封入された封入物１０２を、封入部１３５の開口部を取り出し口としてこの取り出し口から取り出す。
【００６７】
その後、冊子用シート１３１ａを捲ることで、図７（ｄ）に示すように、冊子用シート１３１ｂに表示された通知情報１３６が視認可能となり、この通知情報１３６を封入体１０１の受取人に通知することができる。
【００６８】
以下に、上述した封入体１０１における第２の作用について説明する。
【００６９】
図８は、図５に示した封入体１０１における第２の作用を説明するための図である。
【００７０】
本形態の封入体１０１においては、下シートを構成する裏面シート１２０と冊子用シート１３１ａ，１３１ｂとが貼着部１２１にて粘着剤１３２によって互いに貼着されているとともに、表面シート１１０と冊子用シート１３１ａとが貼着部１１２にて粘着剤１４１ａによって貼着されており、図６に示したように、貼着部１１２の幅Ｗ2が貼着部１２１の幅Ｗ1よりも広くなっている。
【００７１】
そのため、ミシン目１１１を破断して表面シート１１０のミシン目１１１の内側の領域のみを捲って見開いた場合、図８（ａ）に示すように、ミシン目１１１の見開き方向の幅Ｗ0に対して、貼着部１１２の幅がＷ2であることから視認可能となる領域の幅はＷ3となる。これは、表面シート１１０と冊子用シート１３１ａとを強固に貼着するために、貼着部１１２の幅Ｗ2を貼着部１２１の幅Ｗ1よりも広くしたことによるものである。
【００７２】
これに対して、冊子用シート１３１ａを捲って見開いた場合、図８（ｂ）に示すように、ミシン目１１１の見開き方向の幅Ｗ0に対して、貼着部１２１の幅がＷ1であることから、冊子用シート１３１ｂにて視認可能となる領域の幅は、Ｗ3よりも広いＷ4となる。これは、冊子用シート１３１ｂを捲って見開いた場合に裏面シート１２０にて視認可能となる領域の幅も同様である。
【００７３】
これにより、表面シート１１０と冊子用シート１３１ａとを強固に貼着しながらも、冊子用シート１３１ａ，１３１ｂを捲って見開いた場合に視認可能となる面積、すなわち、通知情報１３６を表示できる面積を広くすることができ、多くの情報が通知可能となる。
【００７４】
なお、上述した実施の形態においては、表面シート１０，１１０と裏面シート２０，１２０との間に、２枚の冊子用シート３１ａ，３１ｂ，１３１ａ，１３１ｂからなる冊子部３０，１３０が挟み込まれ、この冊子部３０，１３０にフィルムシート３３，１３３が貼着された構成を例に挙げて説明したが、冊子部３０，１３０を構成する冊子用シートの数は２枚に限らない。
【符号の説明】
【００７５】
１，１０１    封入体
２，１０２    封入物
１０，１１０    表面シート
１１，１１１    ミシン目
１２，２１，１１２，１２１    貼着部
２０，１２０    裏面シート
３０，１３０    冊子部
３１ａ，３１ｂ，１３１ａ，１３１ｂ    冊子用シート
３２，３４，４１ａ，４１ｂ，１３２，１３４，１４１ａ，１４１ｂ    粘着剤
３３，１３３    フィルムシート
３５，１３５    封入部
３６，１３６    通知情報
【図１】
2014159098.tif 000003
【図２】
2014159098.tif 000004
【図３】
2014159098.tif 000005
【図４】
2014159098.tif 000006
【図５】
2014159098.tif 000007
【図６】
2014159098.tif 000008
【図７】
2014159098.tif 000009
【図８】
2014159098.tif 000010
【図９】
2014159098.tif 000011
【図１０】
2014159098.tif 000012